(57)【要約】【課題】栄養補給チューブの先端が胃内に達していることを確実に確認できる栄養補給チューブを提供する。【解決手段】栄養補給チューブは、チューブ本体２と、このチューブ本体２内に遊挿可能な挿入細紐３で構成され、挿入細紐３の先端には、胃液で変色する金属部４が付設されており、チューブ本体２を胃５ｂに挿入させた後に、挿入細紐３をチューブ本体２から引き抜いて、その先端の金属部が変色していれば、チューブ本体２が胃５ｂに挿入されていることを確認することができる。【選択図】図３
2010115443.tif 000002
【特許請求の範囲】
【請求項１】
栄養を補給するために胃中へ通される栄養補給チューブであって、
該栄養補給チューブは、チューブ本体と、該チューブ本体内に遊挿可能な挿入細紐で構成され、該挿入細紐の先端には、胃液で変色する金属部が付設されていることを特徴とする栄養補給チューブ。
【発明の詳細な説明】
【技術分野】
【０００１】
本発明は、栄養を補給するために胃中へ通される栄養補給チューブに関するものである。
【背景技術】
【０００２】
従来、衰弱した高齢者やガン患者などが口から食事が摂れなくなった場合において、胃中へ栄養補給チューブを通して栄養を補給することが行われている。
図５は、人５の鼻５ａからチューブ１を胃５ｂ内に通して、栄養液容器６内の栄養液をチューブ１を通して胃５ｂに補給する場合である。
また、図６は、人５の腹壁から孔を胃５ｂまで開け、チューブ１を胃５ｂ内に通して、栄養液容器６内の栄養液をチューブ１を通して胃５ｂに補給する場合である。
なお、従来、特許文献１に開示されているように、逆流を防ぐように構成した栄養補給チューブは存在する。
【特許文献１】特表２００５−５３５３８８号公報
【発明の開示】
【発明が解決しようとする課題】
【０００３】
このような栄養補給チューブ１は、詰まりや汚れが生じるから定期的に交換する必要があり、その時に、図７に示すように、チューブ１を鼻５ａから挿入してゆく際に、気管５ｃに入る場合があり、健常者なら咳き込んでチューブ１が気管５ｃに入ったことが判るが、衰弱した高齢者等では咳き込み等が生じない場合があり、気管５ｃ内にチューブ１が入ったままの状態でチューブ１を介し栄養補給が行われる場合がある。このような事態が生ずると、肺５ｄに栄養液が入り込み、肺炎を起こして死亡する場合があった。
【０００４】
また、図６のように、腹壁に孔を開けて胃５ｂ内にチューブ１を通す場合に、図８に示すように、チューブ１の先端が胃５ｂの外の腹腔５ｅに入る場合があり、この腹腔５ｅ内にチューブ１を通して栄養液が補給されると、腹膜炎を起こして死亡する場合もあった。
【０００５】
なお、従来では、チューブ１が胃５ｂ内に入ったかどうかは、チューブ１の先端から空気を噴出させて、この空気の噴出する音で確認するが、腹腔５ｅ内にチューブ１が入っている場合にも空気音は発生するため、確実に胃５ｂ内にチューブ１が入っていることを確認するのは難しいという問題点があった。
【課題を解決するための手段】
【０００６】
本発明は、胃中にチューブが入ったことを確実に知ることができて、チューブを介した栄養補給時に肺炎や腹膜炎を起こすことを確実に回避できる栄養補給チューブの提供を目的とし、この目的の少なくとも一部を達成するために以下の手段を採った。
本発明は、栄養を補給するために胃中へ通される栄養補給チューブであって、該栄養補給チューブは、チューブ本体と、該チューブ本体内に遊挿可能な挿入細紐で構成され、該挿入細紐の先端には、胃液で変色する金属部が付設されていることを要旨とする。
【発明の効果】
【０００７】
本発明の栄養補給チューブでは、チューブ本体内に挿入細紐を遊挿させておき、チューブ本体とともに挿入細紐を患者の胃中に通し、チューブ本体の先端から挿入細紐の先端を突出させて、挿入細紐の先端に設けられている金属部を胃中の胃酸に触れさせることにより、この金属部が胃酸により変色する。この状態で挿入細紐のみをチューブ本体から抜き取って、先端の金属部が変色していることを視認することで、チューブ本体が確実に胃中に入ったことを確認することができる。
【発明を実施するための最良の形態】
【０００８】
次に、本発明を実施するための最良の形態を実施例を用いて説明する。
図１は、栄養補給チューブの構成図であり、栄養補給チューブ１は、チューブ本体２と挿入細紐３で構成されている。
チューブ本体２は、始端開口２ａから終端開口２ｂに至る中空円筒状の可撓性チューブであり、挿入細紐３は、チューブ本体２の内径よりも小径の紐状に形成されたものである。
挿入細紐３は、チューブ本体２の始端開口２ａから内部に遊挿させて終端開口２ｂから先端側を突出させることができ、チューブ本体２内で自由に移動させて容易にチューブ本体２から引き抜くことができるように構成されたものである。
【０００９】
この挿入細紐３の先端には、金属部４が付設されている。この金属部４は、銅や銀等の胃液の酸で変色する金属を箔状にして挿入細紐３の先端に付設したものである。
なお、図２は、先端に金属部４を付設した挿入細紐３の構成図である。
【００１０】
このような栄養補給チューブ１は、チューブ本体２内に挿入細紐３を遊挿させた状態で、図３に示すように、患者である人５の鼻５ａから胃５ｂへ向かって挿入される。
チューブ本体２の終端開口２ｂが胃５ｂの中まで到達した状態で、挿入細紐３の先端の金属部４をチューブ本体２の終端開口２ｂよりも更に外方へ突出させるか、または予め金属部４の部分をチューブ本体２の終端開口２ｂから外側へ突出させておくことで、胃５ｂ内にチューブ本体２の先端が到達すると、胃５ｂ内の胃酸に金属部４が触れて、金属部４は変色する。
【００１１】
この状態で図３のように、挿入細紐３のみをチューブ本体２から引き抜いて、その先端の金属部４が変色していることを目で視認して確認することができ、金属部４が変色していれば、チューブ本体２の終端開口２ｂが確実に胃５ｂ中に挿入されたことが確認できるものである。
この状態でチューブ本体２内に栄養液を通して、良好に胃５ｂ内に栄養液を補給することができるものである。
【００１２】
また、図４のように、腹壁に胃５ｂまで孔を開けて、孔を通してチューブ本体２を胃５ｂ内に挿入する方法においても、同様に、チューブ本体２内に着脱可能に挿入細紐３を遊挿させておき、チューブ本体２の終端開口２ｂから金属部４を外側へ突出させて、胃５ｂ中の胃酸に金属部４を触れさせ、その後にチューブ本体２から挿入細紐３のみを引き抜いて、金属部４が変色していることを目で確認することができ、これによりチューブ本体２が胃５ｂ中に確実に挿入されていることを確認して、その後にチューブ本体２内を通して栄養液を胃５ｂに良好に補給することができるものとなる。
【００１３】
従って、このような栄養補給チューブ１を用いれば、チューブ本体２が確実に胃５ｂ内に挿入されたことを目で確認することができるため、従来のように、チューブ本体２が気管５ｃに入り込んだり、腹腔５ｅ内に入り込んだりする事故を回避することができるものとなる。
【００１４】
なお、本例では、チューブ本体２を胃５ｂまで差し込んで水分や栄養を流し込む場合を例示しているが、高齢者やガン患者の他に、意識障害，体力消耗患者の栄養補給にも良好に適用できるものであり、また、経口投薬を確実に行いたい時などにも、このような栄養補給チューブを用いることで、チューブ本体２が胃中に確実に挿入されたことを確認できるものである。
【図面の簡単な説明】
【００１５】
【図１】栄養補給チューブの概略構成図である。
【図２】チューブ本体内に挿入する挿入細紐の概略構成図である。
【図３】鼻から栄養補給チューブを胃内に通し、その後、挿入細紐のみを引き抜いて先端の金属部の変色状態を確認している状態図である。
【図４】腹壁に孔を開けてチューブ本体を胃内に挿入する際に、チューブ本体から挿入細紐を引き抜いて先端の金属部の変色状態を確認している状態図である。
【図５】従来、鼻からチューブを胃内に挿入して栄養補給する場合の状態図である。
【図６】従来、腹壁に孔を開けて胃内にチューブを通して栄養補給する場合の状態図である。
【図７】誤ってチューブを気管内に通した場合の状態図である。
【図８】誤ってチューブを腹腔内に通した場合の状態図である。
【符号の説明】
【００１６】
１  栄養補給チューブ
２  チューブ本体
２ａ  始端開口
２ｂ  終端開口
３  挿入細紐
４  金属部
５  人（患者）
５ａ  鼻
５ｂ  胃
５ｃ  気管
５ｄ  肺
５ｅ  腹腔
【図１】
2010115443.tif 000003
【図２】
2010115443.tif 000004
【図３】
2010115443.tif 000005
【図４】
2010115443.tif 000006
【図５】
2010115443.tif 000007
【図６】
2010115443.tif 000008
【図７】
2010115443.tif 000009
【図８】
2010115443.tif 000010